(57)【要約】【課題】  録画した日より日数が経って録画番組を再生しても、番組に関連した最新のＣＭコンテンツを視聴することができる受信装置を提供する。【解決手段】  ＣＭコンテンツを含む放送番組を記録装置に録画し，その放送番組情報を基にして、番組内容に関連したより新しいＣＭコンテンツを取得し録画しておく。録画番組再生の際に、取得しておいた関連したＣＭコンテンツに置き換えて再生を行なうことを特徴とする。【選択図】        図１
2006311278.tif 000002
【特許請求の範囲】
【請求項１】
テレビジョン放送波を受信し、放送番組の映像データとＣＭデータとを含むコンテンツデータを出力する受信手段と、
前記受信手段より出力された受信されたコンテンツデータを記録媒体に対して記録再生する記録再生手段と、
前記記録再生手段により記録されたコンテンツデータに関する番組情報と前記記録されたコンテンツデータに含まれるＣＭデータに関するＣＭ情報とを検出する検出手段と、
前記検出手段により検出された番組情報とＣＭ情報とに基づいて特定のＣＭデータを決定し、前記受信手段より出力されたコンテンツデータより前記特定のＣＭデータを抽出する抽出手段と、
前記記録再生手段による前記コンテンツデータの再生時において、前記再生されたコンテンツデータに含まれるＣＭデータを前記抽出手段により抽出されたＣＭデータに置き換える置き換え手段とを備えることを特徴とする受信装置。
【請求項２】
前記記録再生手段は更に、前記抽出手段により抽出されたＣＭデータも記録し、前記再生手段は前記コンテンツデータに含まれる映像データとＣＭデータとのリンク情報に基づいて前記コンテンツデータを再生し、前記置き換え手段は前記リンク情報を書き換えることにより前記ＣＭデータの置き換えを行うことを特徴とする請求項１に記載の受信装置。
【請求項３】
前記ＣＭ情報にはＣＭカテゴリ、キーワード、出演者、ＣＭバージョン等からなるＣＭ情報を含むことを特徴とする請求項１に記載の受信装置。
【請求項４】
前記ＣＭ情報は、ＣＭの置換えを禁止するＣＭプロテクト情報を更に含み、前記置き換え手段は、前記抽出したＣＭデータに関するＣＭ情報が前記ＣＭプロテクト情報を含む場合はＣＭの置き換えを禁止することを特徴とする請求項１に記載の受信装置。
【請求項５】
前記置き換え手段による前記ＣＭデータの置き換え処理を行わずに前記コンテンツデータを再生する第１の再生モードと、前記置き換え手段による置き換え処理を実行しながら前記コンテンツデータを再生する第２の再生モードと、前記抽出手段により抽出されたＣＭデータのみを再生する第３の再生モードを切り替えるモード切り替え手段を備えたことを特徴とする請求項１に記載の受信装置。
【請求項６】
前記抽出手段は、前記記録媒体に記録された複数のコンテンツデータの番組情報を基に、前記特定のＣＭデータを決定することを特徴とする請求項１に記載の受信装置。
【発明の詳細な説明】
【技術分野】
【０００１】
本発明は、受信装置に関し、特には受信したコンテンツデータを記録媒体に対して記録再生する装置に関する。
【背景技術】
【０００２】
近年においては、ＨＤＤやＤＶＤ−ＲＡＭなどのランダムアクセスの可能な円盤状記録媒体を用いた映像記録再生装置等により、長時間にも及ぶ放送コンテンツの番組録画が可能となってきている。また、デジタル放送における多チャンネル化に伴って、蓄積装置に録画される放送コンテンツ数も飛躍的に増加する一方である。ここで、本来、ユーザが放送コンテンツを録画する動機として挙げられるのは、見逃したくないお好みの放送コンテンツを蓄積し、繰り返し視聴するような視聴スタイルが挙げられる。また、放送コンテンツの放送時間に留守等の理由により、リアルタイムに視聴することができなくて、タイムシフト視聴を目的とする場合も考えられる。しかしながら前述したように、録画された放送コンテンツ数の増加により、ユーザは限られた視聴時間で録画番組を視聴しなくてはならず、放送コンテンツの録画日すなわち放送日より、任意の期間を隔てた後に、再生視聴することが必然的に多くなることが考えられる（例えば、特許文献１参照。）。
【０００３】
このような場合、録画した放送コンテンツに含まれているＣＭ情報については、ユーザが再生視聴する時期に至っては、本来放送局側が意図していた視聴時期を逃してしまうので、ＣＭの広告としての効果を低下させてしまう。
【特許文献１】特開２０００−１６５３３５号公報
【発明の開示】
【発明が解決しようとする課題】
【０００４】
しかしながら、ＣＭ部の録画領域からの削除もしくはＣＭ部の再生スキップ等の手段を講じることは、ＣＭを提供する側である放送局やＣＭスポンサーの意図に反してしまい好ましくないという課題がある。
【０００５】
更に、ユーザが録画した放送コンテンツのなかには、お好みの番組本編部については、録画後も繰り返して再生視聴することが多いと考えられるが、ＣＭのもつ情報については、時が経つにつれてその情報価値が減少していくものである。具体的な例としては、記録装置に記録されたＣＭを含む放送コンテンツを再生する際に、再生している録画番組の次回予告ＣＭや、録画番組に出演していた音楽アーチストの新譜ＣＤの情報、更にはコンサート開催情報などは録画番組を再生視聴する時期を隔てては、ＣＭとしての情報が古くなってしまい、殆どＣＭの意味をなさなくなる、という課題がある。
【０００６】
本発明は、記録したコンテンツを再生する場合に、ＣＭ効果を高めることが可能な受信装置を提供することを目的とする。
【課題を解決するための手段】
【０００７】
上述のような課題を解決するため、本発明は、テレビジョン放送波を受信し、放送番組の映像データとＣＭデータとを含むコンテンツデータを出力する受信手段と、前記受信手段より出力された受信されたコンテンツデータを記録媒体に対して記録再生する記録再生手段と、前記記録再生手段により記録されたコンテンツデータに関する番組情報と前記記録されたコンテンツデータに含まれるＣＭデータに関するＣＭ情報とを検出する検出手段と、前記検出手段により検出された番組情報とＣＭ情報とに基づいて特定のＣＭデータを決定し、前記受信手段より出力されたコンテンツデータより前記特定のＣＭデータを抽出する抽出手段と、前記記録再生手段による前記コンテンツデータの再生時において、前記再生されたコンテンツデータに含まれるＣＭデータを前記抽出手段により抽出されたＣＭデータに置き換える置き換え手段とを備える。
【発明の効果】
【０００８】
本発明によれば、効果的にＣＭを挿入して視聴者に提示することが可能となる。
【発明を実施するための最良の形態】
【０００９】
以下に、本発明に係る実施例について図面を用いて説明する。
【実施例】
【００１０】
［第１の実施例］
本実施例における放送番組記録再生装置のシステムブロック図を図１に示す。
【００１１】
アンテナ１０１は、放送局からの電波を受信する。本実施例では衛星放送を例にしているが、ケーブルテレビやネットワークなどのブロードバンド放送網から受信するとしてもよい。デジタルチューナ部１０２は、受信した放送波の中から制御部１１７の指示に従い所望の周波数を選択する。ＣＭ判別部１０３は、デジタル放送波に含まれる付加情報により、デジタル放送波のなかの多重化された番組データ及びＣＭデータとを判別する。番組情報抽出部１０４は、前記付加情報に含まれる番組情報を抽出し、ＣＭ情報抽出部１０５は、前記付加情報に含まれるＣＭ情報を抽出するものである。
【００１２】
ＣＭデータ選択部１０６は、番組情報抽出部１０４からの番組情報とＣＭ情報抽出部１０５からのＣＭ情報により、記録すべきＣＭを選択するものである。更に、ＣＭデータ選択部１０６は図示しない不揮発性メモリを有している。
【００１３】
番組データ記録再生部１０７は、受信した放送コンテンツの番組データの記録並びに再生を行ない、ＣＭデータ記録再生部１０８は、受信した放送コンテンツのＣＭデータの記録並びに再生を行なう。スイッチ１０９は、番組データ記録再生部１０７から受け渡される録画番組データとＣＭデータ記録再生部１０８から受け渡される録画ＣＭデータとを時分割により切り替え出力するものである。ＤＥＭＵＸ１１０は、スイッチ１０９からのデータを受け取り、非圧縮の音声データ、映像データとに分離する。音声デコーダ１１１は、音声データをデコードしてスピーカ１１２へと出力する。
【００１４】
映像デコーダ１１３は、映像データをデコードして、ＧＵＩ生成部１１４へと受け渡す。ＧＵＩ生成部１１４は、録画番組再生時の動作状況を示すＧＵＩデータを生成し、デコードされた映像データにＧＵＩを合成するものであり、表示装置１１５へと出力されて表示される。また、ＧＵＩ生成部１１４はグラフィックデータを生成できればよく、汎用品で構成してもよいし専用エンジンを用いても構わない。
【００１５】
リモコンＩ／Ｆ１１６は、ユーザの操作アクションを受け付けるリモコン（図示せず）の赤外線コードを受光し、制御部１１７へと受け渡す。制御部１１７は、リモコンの赤外線コードを解釈するとともに、システム内の各ブロックの制御を行なうものである。制御部１１７は、図示しない不揮発性メモリを有しており、制御部１１７は論理ロジックのみで構成されていても、並列演算が可能なメディアプロセッサであってもよい。
【００１６】
以上のように構成された本実施例における放送番組記録再生装置について、動作について説明を行なう。以下に、受信した放送コンテンツの記録、ＣＭの抽出、録画放送コンテンツの再生、の順に各動作の説明を行なう。
【００１７】
デジタルチューナ部１０２は、アンテナ１０１を介して受信した放送波の中から制御部１１７の指示に従い所望の周波数を選択し、図示しない復調＆エラー訂正回路にて復調処理が施されるとともに誤り訂正処理などを行ない、トランスポートストリームをＣＭ判別部１０３へと出力する。ＣＭ判別部１０３では、デジタルチューナ部１０２からのデジタル放送データから多重化された番組データ及びＣＭデータとを判別し、番組データは番組情報抽出部１０４を介して番組データ記録再生部１０７へと受け渡され、ＣＭデータは次に説明するＣＭ情報を抽出するＣＭ情報抽出部１０５、並びにＣＭデータ選択部１０６を介してＣＭデータ記録再生部１０８へと出力される。
【００１８】
放送コンテンツの録画を開始すると、番組情報抽出部１０４は、受信している番組についての番組情報を抽出する。ここで抽出された番組情報は、ＣＭデータ選択部１０６に受け渡され、ＣＭデータ選択部１０６内の不揮発性メモリにて記憶される。
【００１９】
番組ａデータは番組データ記録再生部１０７へと送られる。また、ＣＭデータはＣＭデータ記録再生部１０８へと送られ、放送コンテンツを記録していく。動作について図３を用いて説明する。図３において、分離された番組データとＣＭデータは、番組データは番組データ記録再生部１０７に、ＣＭデータはＣＭデータ記録再生部１０８にて各々記録される。その際、各データは記録ブロック単位で記録され、記録ブロックの先頭には個々の録画番組の固有値を示すヘッダ情報が付与され、記録ブロックの最後には次の記録ブロックを指し示すリンク情報を付加して記録する。つまり、リンク情報により次々と記録ブロックの固有値を示すことで、ひとつの放送コンテンツが次々と記録されていく。番組データ記録再生部１０７には、番組ａデータ１、番組ａデータ２・・、番組ａデータｎまでのｎ個の番組記録ブロックが記録され、ＣＭデータ記録再生部１０８には、ＣＭａ、ＣＭｂ・・、ＣＭｍまでのｍ個のＣＭ記録ブロックが記録されて、ひとつの放送コンテンツを構成する要素となる。例えば図３において、番組ａデータ１のリンク情報には、ＣＭａのヘッダ情報へのリンク情報が書かれる。
【００２０】
ＣＭ情報抽出部１０５では、受信している放送コンテンツに含まれるＣＭについてのＣＭ情報を抽出し、この情報とＣＭデータをＣＭデータ選択部１０６へと出力する。例えば、録画番組が番組ａであるとすると、番組ａの番組情報を出力する。
【００２１】
ここで、ＣＭ情報について図２を用いて説明を行なう。図２はＣＭ情報の構造を模式的に示した図である。ＣＭ情報としてＣＭカテゴリ群２００には、食品２０１、音楽２０２、トラベル２０３、ＣＭプロテクト２０４などの情報項目を含んでおり、各情報項目の下層にはキーワード群２１０として各項目に対応する情報が含まれる。更にキーワード群２１０の下層には出演者群２２０として出演者情報が含まれる。例えば、食品２０１の下層にはカレー２１１、音楽２０２の下層には新譜情報２１２、並びに来日情報２１３などといったより詳細な情報が含まれているツリー構造であるものとする。
【００２２】
次に、ＣＭデータ選択部１０６において、録画した放送コンテンツに含まれる番組情報を基に、録画番組に関連するＣＭを抽出する動作について以下に詳しく説明する。まず、番組情報とは、放送波とともに入来する番組付加情報であり、ここではＥＰＧ（電子番組表）と同義である。録画番組に関する番組カテゴリや出演者などの情報を含み、図２におけるキーワード群２１０、出演者２２０などの情報が含まれている。一方、ＣＭ情報抽出部１０５からのＣＭ情報には、ＣＭカテゴリ群２００、キーワード群２１０、出演者２２０、ＣＭバージョン２３０などの情報が含まれている。
【００２３】
ＣＭの選択は、ＣＭデータ選択部１０６内の図示しない不揮発性メモリに格納された番組情報と、ＣＭ情報抽出部１０５からのＣＭ情報とを比較して行なわれる。録画された番組情報であるキーワード群、出演者情報と、ＣＭ情報抽出部１０５よりのＣＭ情報であるキーワード群、出演者情報とが一致すると番組関連ＣＭであると判断し、抽出したＣＭデータをＣＭデータ記録再生部１０８へと出力する。ＣＭデータ記録再生部１０８は、受け取ったＣＭデータの記録時に、録画番組が番組ａであれば、番組ａに対応した番組関連ＣＭであることを示す情報もＣＭデータの記録ブロックのヘッダ部に記録する。新しく追加記録された番組関連ＣＭは、オリジナルのＣＭ記録領域とは別に記録される。
【００２４】
例えば、ユーザが録画した放送コンテンツが歌手であるマライア・キャローのライブ番組であったとすると、その番組情報より出演者“マライア・キャロー”というキーワードを得て、ＣＭ情報抽出部１０５ではこのキーワードを基に、受波している放送波における個々のＣＭに関するＣＭ情報から、キーワード“マライア・キャロー”に合致するＣＭを検索し抽出を行なう。もしここで、マライア・キャローに関連するＣＭが抽出されると、該当するＣＭ情報とＣＭデータが、ＣＭデータ選択部１０６へ出力される。ＣＭデータ記録再生部１０８へと受け渡され、ＣＭデータ記録再生部１０８にて、録画時における放送コンテンツのＣＭとは別に、記録が行なわれる。
【００２５】
更に、ＣＭバージョンについても、より新しいＣＭバージョンを抽出する場合もある。例えば、録画した放送コンテンツ内に含まれるオリジナルＣＭのＣＭ情報が食品２０１、カレー２１１、松田サヤカ２２１、ＣＭバージョン０１であったとして、録画後にＣＭ情報が食品２０１、カレー２１１、松田サヤカ２２１、ＣＭバージョン０２であるＣＭが抽出されれば、これはオリジナルＣＭのＣＭバージョン０１よりも録画後に抽出されたＣＭバージョン０２の方がより新しいので、このＣＭの記録が行なわれるようにしても良い。
【００２６】
また、本実施例では、抽出キーワードを「出演者」として説明したが、録画番組から抽出されたキーワードとは別に、ユーザが任意のアーチスト名、俳優名等を指定できるようにしても良い。
【００２７】
次に、録画した放送コンテンツを再生視聴する場合について説明する。まず、録画番組の再生が指示されると、制御部１１７は、図４に示すような録画番組の再生モードの選択を求めるＧＵＩを表示させる。ここで、ユーザのリモコン（図示せず）操作によって、図４に示す、１，２，３のいずれかの選択肢が選択され、各ＣＭ再生モードに対応した録画番組の再生が行なわれる。以下に、それぞれのＣＭ再生モードについて説明を行なう。
【００２８】
１）のオリジナルＣＭモードを選択した時の再生動作を図５に示す。図５は、番組ａデータとオリジナルＣＭデータの読み出し動作の説明図である。録画した放送コンテンツを再生するには、番組データ記録再生部１０７からの所望の番組データと、ＣＭデータ記録再生部１０８からの所望のＣＭデータとを出力するように制御部１１７が制御する。図５において、番組ａデータは番組データ記録再生部１０７から、ＣＭはＣＭデータ記録再生部１０８から、番組ａデータ１、ＣＭａ、番組ａデータ２、ＣＭｂ・・という順に、記録する際に付与された記録ブロックのリンク情報を基に、次々と読み出される。そして、スイッチ１０８にて図６の如くひとつのストリームデータとなり、ＤＥＭＵＸ１１０へと出力される。ＤＥＭＵＸ１１０では、非圧縮の音声データ、映像データとに分離を行ない、音声データ１１１は音声データをデコードし、映像デコーダ１１３は、映像データをデコードし、更にＧＵＩ生成部１１３により再生映像上にＧＵＩを合成して表示装置１１４に出力される。録画された放送コンテンツの再生映像の様子を図７に示す。図７において、ＣＭデータは録画時のオリジナルＣＭのまま再生される。このモードは録画時のオリジナルＣＭのまま楽しみたい、というような場合に好適である。
【００２９】
次に、２）の関連ＣＭ置換えモードを選択した時の再生動作を図８に示す。図８は、録画時に記録されたオリジナルのＣＭから、録画しておいたＣＭへの置換え再生動作の説明図である。前述したように、ＣＭデータ記録再生部１０８において、放送コンテンツ録画後に新たに抽出され記録された番組関連ＣＭが、放送コンテンツ録画時に記録されたオリジナルのＣＭとは別に記録されている。録画しておいた番組が、番組ａであるとすると、ＣＭデータ記録再生部１０８は、放送コンテンツ録画後に新たに記録された番組関連ＣＭである、ＣＭｃのＣＭ記録ブロックのヘッダ情報を参照することにより、ＣＭｃのＣＭ記録ブロックが再生される。すなわち、番組ａデータ１、ＣＭデータＣＭｃ、番組ａデータ２、ＣＭデータＣＭｄというように、より新しいＣＭに置き換えられて再生が行なわれる。更に図９に、録画された放送コンテンツの再生映像の様子を示す。図９において、番組データの合間に含まれているＣＭは録画時すなわち放送日以降に新たに記録された録画番組に関連するＣＭへと置き換えられ、再生される。このモードはＣＭ効果の薄れたオリジナルＣＭをより新しいＣＭへと置き換えて再生することにより、ユーザに新しいＣＭを提供することができ、昔の録画番組を視聴しながらも、ユーザは新しいＣＭの情報を得ることが可能となる。
【００３０】
図１０は、３）の関連ＣＭ連続再生モードを選択した時の再生映像の様子を示したものである。このモードでは録画した番組に関連するＣＭのみが連続して再生される。このモードはユーザが録画したお好みの番組内容に関連する、より新しいＣＭをまとめて視聴できるため、いち早くより新しいＣＭの情報のみを得ることができ、視聴時間の短縮も可能なものとなっている。
【００３１】
次に、図２のＣＭカテゴリ群２００に含まれるＣＭプロテクト２０４について、図１１を用いて説明を行なう。ＣＭプロテクト２０４は、放送局もしくはＣＭスポンサー側にて、ＣＭの置換え処理を禁止させるためのプロテクトフラグである。ＣＭ情報抽出部１０５は、ＣＭプロテクト２０４を参照し、「プロテクト有り」であったとすれば、放送コンテンツ中に該当するＣＭを抽出したとしても、該当ＣＭの記録を行なわない。すなわち、ＣＭ置換えは行なわれないこととなる。放送局もしくはＣＭスポンサー側で、より新しいＣＭへのアップデート置換えを禁止する意図があれば、これに従い、ＣＭ置換えは行なわれないこととなる。
【００３２】
以上に説明したように、第１の実施例では、ユーザが録画した放送コンテンツの番組情報を基にして、出演者などのキーワードを用いて関連ＣＭを抽出し記録しておき、更に、録画番組の再生時にはＣＭ再生モードを選択し、ＣＭ置換え再生を行なうことで、録画した放送番組内容に則した、より新しい番組関連ＣＭをユーザに提供することができる。
【００３３】
［第２の実施例］
第２の実施例における第１の実施例との相違点は、放送コンテンツが複数録画されている場合において、複数録画された放送コンテンツについての複数の番組情報を基にして関連するＣＭを抽出する点である。第２の実施例について、図２を用いて説明を行なう。
【００３４】
本来、録画される放送コンテンツは、ユーザのお好み番組であることが多い。例えば、ユーザによっては、図２における「温泉２１４」や「旅行２１５」など、ある特定のキーワードに関する放送コンテンツをいくつも録画している場合が考えられる。ここで、「温泉２１４」や「旅行２１５」というキーワードは、これらのキーワードの上位階層である「レジャー２０３」に包含されており、録画番組のお好みを知る判断材料のひとつであるといえる。本実施例では、録画された放送コンテンツの番組情報におけるキーワードについて、多く抽出されたキーワードが含まれているＣＭカテゴリ群を判断して、判断されたＣＭカテゴリにてＣＭ抽出を行なうことを特徴とする。例えば、いくつもの録画番組から抽出されたキーワードが、「温泉２１４」、「旅行２１５」であったとすると、これらのキーワードを最も多く含むＣＭカテゴリ群は「トラベル２０３」であるので、このＣＭカテゴリを用いて、関連ＣＭの抽出を行なうものとする。このようにすることで、「トラベル２０３」のＣＭカテゴリに含まれている航空割引券２１６などのＣＭも抽出できるようになり、本実施例では、旅行がお好みであると思われるユーザに対して、格安航空チケットのＣＭも提供できることが可能となる。
【００３５】
以上、第２実施例では、キーワード抽出ではなく、ＣＭカテゴリ抽出とすることで、より広範囲なＣＭフィルタリングが実現でき、更に多くの関連ＣＭをユーザに対して提供できることができる。
【図面の簡単な説明】
【００３６】
【図１】本発明におけるシステムのブロック図である。
【図２】本発明におけるＣＭ情報の構造を模式的に表す図である。
【図３】本発明における番組データとＣＭデータの記録の様子を表す説明図である。
【図４】本発明における番組データとＣＭデータの再生の様子を表す説明図である。
【図５】本発明における再生ストリームを表す説明図である。
【図６】本発明におけるＣＭ再生モードの選択画面の図である。
【図７】本発明におけるオリジナルＣＭ再生モードの様子を表す説明図である。
【図８】本発明における関連ＣＭモードの様子を表す説明図である。
【図９】本発明における関連ＣＭモードのＣＭ置換え動作の説明図である。
【図１０】本発明における関連ＣＭ連続再生モードの様子を表す説明図である。
【図１１】本発明におけるＣＭプロテクトの説明図である。
【符号の説明】
【００３７】
１０１  アンテナ
１０２  デジタルチューナ部
１０３  ＣＭ判別部
１０４  番組情報抽出部
１０５  ＣＭ情報抽出部
１０６  ＣＭデータ選択部
１０７  番組データ記録再生部
１０８  ＣＭデータ記録再生部
１０９  スイッチ
１１０  ＤＥＭＵＸ
１１１  音声デコーダ
１１２  スピーカ
１１３  映像デコーダ
１１４  ＧＵＩ生成部
１１５  表示装置
１１６  リモコン  Ｉ／Ｆ
１１７  制御部
【図１】
2006311278.tif 000003
【図２】
2006311278.tif 000004
【図３】
2006311278.tif 000005
【図４】
2006311278.tif 000006
【図５】
2006311278.tif 000007
【図６】
2006311278.tif 000008
【図７】
2006311278.tif 000009
【図８】
2006311278.tif 000010
【図９】
2006311278.tif 000011
【図１０】
2006311278.tif 000012
【図１１】
2006311278.tif 000013